(57)【要約】【課題】地域に存在する表示装置に提示するコンテンツを配信するコンテンツ配信装置及びコンテンツ配信方法を提供する。【解決手段】地域の天気、気温、温度、季節、湿度、イベントのいずれか一つ以上の環境情報を取得する環境情報取得手段２１と、地域に位置する受信対象者の年齢、年代、性別、人数のいずれか一つ以上の受信対象情報を取得する受信対象情報取得手段２２と、コンテンツの配信条件となる環境情報及び受信対象情報のいずれか一つ以上を、コンテンツと関連づけて取得する配信条件取得手段２３と、配信条件取得手段２３で取得した配信条件が、環境情報及び受信対象情報のいずれか一つ以上に一致する地域に存在する表示装置に、コンテンツを配信する条件配信手段２４を備える。【選択図】図１
2005078372.tif 000002
【特許請求の範囲】
【請求項１】
地域に存在する表示装置に提示するコンテンツを配信するコンテンツ配信装置において、
前記地域の天気、温度、季節、湿度、イベントのいずれか一つ以上の環境情報を取得する環境情報取得手段と、
前記地域に位置する受信対象者の年齢、年代、性別、人数のいずれか一つ以上の受信対象情報を取得する受信対象情報取得手段と、
前記コンテンツの配信条件となる前記環境情報及び前記受信対象情報のいずれか一つ以上を、前記コンテンツと関連づけて取得する配信条件取得手段と、
前記配信条件取得手段で取得した前記配信条件が、前記環境情報及び前記受信対象情報のいずれか一つ以上に一致する前記地域に存在する前記表示装置に、前記コンテンツを配信する特定情報配信手段
を備えることを特徴とするコンテンツ配信装置。
【請求項２】
前記配信条件取得手段において、前記コンテンツを配信する地域が指定されている場合、
前記特定情報配信手段は、前記配信条件取得手段において指定されている前記コンテンツを配信する地域から、前記配信条件取得手段で取得した前記配信条件が、前記環境情報及び前記受信対象情報のいずれか一つ以上に一致する配信地域を検索し、前記配信地域に存在する前記表示装置に、前記コンテンツを配信する
ことを特徴とする請求項１に記載のコンテンツ配信装置。
【請求項３】
前記配信条件取得手段において、前記コンテンツを配信する地域が指定されていない場合、
前記特定情報配信手段は、前記配信条件取得手段で取得した前記配信条件が、前記環境情報及び前記受信対象情報のいずれか一つ以上に一致する配信地域を検索し、検索された前記配信地域に存在する前記表示装置に、前記コンテンツを配信する
ことを特徴とする請求項１に記載のコンテンツ配信装置。
【請求項４】
前記配信条件取得手段において、更にコンテンツの配信回数を前記コンテンツと関連づけて取得し、
前記特定情報配信手段は、前記配信条件が一致した場合、前記配信回数のうちの条件配信回数分、前記コンテンツを配信し、
前記配信回数のうちの通常配信回数分、前記配信条件に関係なく前記コンテンツを定常的に配信する通常情報配信手段
を更に備えることを特徴とする請求項１乃至３のいずれか１項に記載のコンテンツ配信装置。
【請求項５】
前記配信条件手段において、更にコンテンツを配信する期間を前記コンテンツと関連づけて取得し、
前記特定情報配信手段で配信された条件配信回数と、前記通常情報配信手段で配信された前記通常配信回数を記憶した配信実績記憶装置を参照して、前記コンテンツを配信する期間のうち経過した日時を考慮して、前記配信条件回数と、前記通常配信回数とを調整する条件配信調整手段
を更に備えることを特徴とする請求項４に記載のコンテンツ配信装置。
【請求項６】
前記条件配信調整手段は、前記条件配信回数が前記コンテンツを配信する期間のうち経過した日時に比べて少ない場合、前記通常情報配信手段による配信の頻度を高くし、前記条件配信回数が前記コンテンツを配信する期間のうち経過した日時に比べて多い場合、前記通常情報配信手段による配信の頻度を低くする
ことを特徴とする請求項５に記載のコンテンツ配信装置。
【請求項７】
前記配信条件取得手段において、更に高い頻度で前記条件配信を行う高頻度配信条件を前記コンテンツと関連づけて取得し、
前記特定情報配信手段は、前記高頻度配信条件が、環境情報及び前記受信対象情報のいずれか一つ以上に一致する前記地域に存在する前記表示装置に、より高い頻度で前記コンテンツを配信する
ことを特徴とする請求項１乃至６のいずれか１項に記載のコンテンツ配信装置。
【請求項８】
地域に存在する表示装置に提示するコンテンツを配信するコンテンツ配信方法において、
環境情報取得手段によって前記地域の天気、温度、季節、湿度、イベントのいずれか一つ以上の環境情報を取得するステップと、
受信対象情報取得手段によって前記地域に位置する受信対象者の年齢、年代、性別、人数のいずれか一つ以上の受信対象情報を取得するステップと、
配信条件取得手段によって前記コンテンツの配信条件となる前記環境情報及び前記受信対象情報のいずれか一つ以上を、前記コンテンツと関連づけて取得するステップと、
特定情報配信手段によって、前記配信条件が前記環境情報及び前記受信対象情報のいずれか一つ以上に一致する、前記地域に存在する前記表示装置に、前記コンテンツの条件配信を行うステップと
を備えることを特徴とするコンテンツ配信方法。
【請求項９】
前記配信条件において、前記コンテンツを配信する地域が指定されている場合、
前記コンテンツの条件配信を行うステップは、前記配信条件において指定されている前記コンテンツを配信する地域から、前記配信条件が前記環境情報及び前記受信対象情報のいずれか一つ以上に一致する配信地域を検索し、前記配信地域に存在する前記表示装置に、前記コンテンツの条件配信を行う
ことを特徴とする請求項８に記載のコンテンツ配信方法。
【請求項１０】
前記配信条件において、前記コンテンツを配信する地域が指定されていない場合、
前記コンテンツの条件配信を行うステップは、前記配信条件が前記環境情報及び前記受信対象情報のいずれか一つ以上に一致する配信地域を検索し、検索された前記配信地域に存在する前記表示装置に、前記コンテンツの条件配信を行う
ことを特徴とする請求項８に記載のコンテンツ配信方法。
【請求項１１】
前記配信条件は、更にコンテンツの配信回数を前記コンテンツと関連づけて取得し、
前記コンテンツの条件配信を行うステップは、前記配信条件が一致した場合、前記配信回数のうちの条件配信回数分、前記コンテンツの条件配信を行い、
通常情報配信手段によって、前記配信回数のうちの通常配信回数分、前記配信条件に関係なく定常的に前記コンテンツの通常配信を行うステップ
を更に備えることを特徴とする請求項８乃至１０のいずれか１項に記載のコンテンツ配信方法。
【請求項１２】
前記配信条件は、更にコンテンツを配信する期間を前記コンテンツと関連づけて取得し、
条件配信調整手段によって、前記条件配信回数と、前記通常配信回数の実績を記憶した配信実績記憶装置を参照して、前記コンテンツを配信する期間のうち経過した日時を考慮して、前記配信条件回数と、前記通常配信回数とを調整するステップ
を更に備えることを特徴とする請求項１１に記載のコンテンツ配信方法。
【請求項１３】
前記配信条件回数と、前記通常配信回数とを調整するステップは、前記条件配信回数が前記コンテンツを配信する期間のうち経過した日時に比べて少ない場合、前記通常情報配信手段による配信の頻度を高くし、前記条件配信回数が前記コンテンツを配信する期間のうち経過した日時に比べて多い場合、通常配信による配信の頻度を低くする
ことを特徴とする請求項１２に記載のコンテンツ配信方法。
【請求項１４】
前記配信条件において、更に高い頻度で前記条件配信を行う高頻度配信条件を前記コンテンツと関連づけて取得し、
前記コンテンツの条件配信を行うステップは、前記高頻度配信条件が、環境情報及び前記受信対象情報のいずれか一つ以上に一致する前記地域に存在する前記表示装置に、より高い頻度で前記コンテンツを配信する
ことを特徴とする請求項８乃至１３のいずれか１項に記載のコンテンツ配信方法。
【発明の詳細な説明】
【技術分野】
【０００１】
本発明は、地域に存在する表示装置に提示するコンテンツを配信するコンテンツ配信装置及びコンテンツ配信方法に関する。
【背景技術】
【０００２】
今日、街中に巨大なスクリーンやテレビモニターなどの表示装置が配置され、それらの表示装置にイベント紹介、広告、メッセージなどの様々なコンテンツが配信されている。又、これらの表示装置は街中に限らず、電車や新幹線、飛行機などの移動体にも備えられている。
【０００３】
電車においては、乗降口上部のスペースに表示装置が埋め込まれており、画一的な天気予報、ニュース、広告などの情報が流れている。又、イベント会場などにも表示装置が用いられ、そのイベントの案内や、イベントに関する広告などのコンテンツが配信されている。
【０００４】
例えば、広告の効率的提供、災害や事故時の最新情報のスムーズな伝達を可能にした車両内情報提供システムがある（例えば、特許文献１。）この特許文献１に記載の車両内情報提供システムにおいては、車両内の制御装置が、定期的に最新のコマーシャルデータやニュースデータを液晶パネルに表示する。
【０００５】
又、電車などの移動体内において、乗客個々の趣向に合った情報やニュースなどの最新データを配信するデータ配信システムがある（例えば、特許文献２）。この特許文献２においては、データ基地局から送信されたデータを移動体内に設置されたデータサーバに備え、中継局を経由して移動体内の携帯端末、例えばＰＤＡに対して適宜配信するようにするものである。
【０００６】
一方、近年のインターネット通信の発達に伴い、ユーザの年齢、性別、住所、趣味などを考慮して、広告メールをプッシュ型でユーザ個人に送信するのは良く知られている。
【特許文献１】特開２００２−１４５０６７号公報
【特許文献２】特開２００２−１９０７６４号公報
【発明の開示】
【発明が解決しようとする課題】
【０００７】
しかし、街中や移動体に備えられた表示装置は、複数の不特定の人間が閲覧するので、広告メールをプッシュ型でユーザ個人に配信するのに比べて、広告の効果が得られない問題点がある。
【０００８】
上述した特許文献１においては、電車から管理センターサーバに定期的にアクセスし最新のコンテンツを取得し配信するものであり、ユーザは最新のコンテンツを閲覧できるが、そのコンテンツが閲覧しているユーザが欲しい（希望している）コンテンツであるかは不明である。更に、上述した特許文献２においては、最終的にユーザが備える携帯端末にコンテンツは配信されるが、そのコンテンツが、ユーザが欲しい（希望している）コンテンツであるかは不明である。
【０００９】
この様に、複数の不特定の人間が閲覧する表示装置においても、効果を向上させるコンテンツの配信が求められているものの、満足できる情報が提供できている環境とは言い難い。
【００１０】
そこで、本発明は、地域に存在する表示装置に、地域ユーザに適合するコンテンツを配信するコンテンツ配信装置及びコンテンツ配信方法を提供することを目的としている。
【課題を解決するための手段】
【００１１】
上記課題を解決するために、本発明は、地域に存在する表示装置に提示するコンテンツを配信するコンテンツ配信装置において、地域の天気、温度、季節、湿度、イベントのいずれか一つ以上の環境情報を取得する環境情報取得手段と、地域に位置する受信対象者の年齢、年代、性別、人数のいずれか一つ以上の受信対象情報を取得する受信対象情報取得手段と、コンテンツの配信条件となる環境情報及び受信対象情報のいずれか一つ以上を、コンテンツと関連づけて取得する配信条件取得手段と、配信条件取得手段で取得した配信条件が、環境情報及び受信対象情報のいずれか一つ以上に一致する地域に存在する表示装置に、コンテンツを配信する特定情報配信手段を備える。
【００１２】
この様に本発明によれば、公共の場所に設置された表示装置についても、それを鑑賞するユーザの特性に合わせて、適切なコンテンツを配信し、コンテンツの配信効果を上げることができる。
【００１３】
又、配信条件取得手段において、コンテンツを配信する地域が指定されている場合、特定情報配信手段は、配信条件取得手段において指定されているコンテンツを配信する地域から、配信条件取得手段で取得した配信条件が、環境情報及び受信対象情報のいずれか一つ以上に一致する配信地域を検索し、配信地域に存在する表示装置に、コンテンツを配信することが好ましい。更に、配信条件取得手段において、コンテンツを配信する地域が指定されていない場合、特定情報配信手段は、配信条件取得手段で取得した配信条件が、環境情報及び受信対象情報のいずれか一つ以上に一致する配信地域を検索し、検索された配信地域に存在する表示装置に、コンテンツを配信することが好ましい。
【００１４】
この場合、コンテンツの配信地域が予め設定されているので、よりコンテンツの配信者の意向に添った地域にコンテンツの配信ができる一方、コンテンツの配信地域が設定されていなくても配信条件に一致する地域を検索し配信する。
【００１５】
又、配信条件取得手段において、更にコンテンツの配信回数をコンテンツと関連づけて取得し、特定情報配信手段は、配信条件が一致した場合、配信回数のうちの条件配信回数分、コンテンツを配信し、配信回数のうちの通常配信回数分、配信条件に関係なくコンテンツを定常的に配信する通常情報配信手段を更に備えることが好ましい。
【００１６】
この場合、条件に一致した地域に配信を行う条件配信と、定常的に配信を行う通常配信とを組合せることにより、コンテンツの配信依頼者と契約で定めた配信回数をクリアすることができる。
【００１７】
又、配信条件手段において、更にコンテンツを配信する期間をコンテンツと関連づけて取得し、特定情報配信手段で配信された条件配信回数と、通常情報配信手段で配信された通常配信回数を記憶した配信実績記憶装置を参照して、コンテンツを配信する期間のうち経過した日時を考慮して、配信条件回数と、通常配信回数とを調整する条件配信調整手段を更に備えることが好ましい。更に、条件配信調整手段は、条件配信回数がコンテンツを配信する期間のうち経過した日時に比べて少ない場合、通常情報配信手段による配信の頻度を高くし、条件配信回数がコンテンツを配信する期間のうち経過した日時に比べて多い場合、通常情報配信手段による配信の頻度を低くすることが好ましい。
【００１８】
これにより、配信条件との一致が多い場合や少ない場合でも、条件配信回数と通常配信回数とを調整することにより、コンテンツの配信依頼者と契約で定めた配信回数をクリアすることができる。
【００１９】
又、配信条件取得手段において、更に高い頻度で条件配信を行う高頻度配信条件をコンテンツと関連づけて取得し、特定情報配信手段は、高頻度配信条件が、環境情報及び受信対象情報のいずれか一つ以上に一致する地域に存在する表示装置に、より高い頻度でコンテンツを配信することが好ましい。
【００２０】
この場合、条件が一致する場合に集中的にコンテンツを配信するので、より高い広告効果を期待することができる。
【００２１】
本発明は、地域に存在する表示装置に提示するコンテンツを配信するコンテンツ配信方法において、環境情報取得手段によって地域の天気、温度、季節、湿度、イベントのいずれか一つ以上の環境情報を取得するステップと、受信対象情報取得手段によって地域に位置する受信対象者の年齢、年代、性別、人数のいずれか一つ以上の受信対象情報を取得するステップと、配信条件取得手段によってコンテンツの配信条件となる環境情報及び受信対象情報のいずれか一つ以上を、コンテンツと関連づけて取得するステップと、特定情報配信手段によって、配信条件が環境情報及び受信対象情報のいずれか一つ以上に一致する、地域に存在する表示装置に、コンテンツの条件配信を行うステップとを備える。
【００２２】
又、配信条件において、コンテンツを配信する地域が指定されている場合、コンテンツの条件配信を行うステップは、配信条件において指定されているコンテンツを配信する地域から、配信条件が環境情報及び受信対象情報のいずれか一つ以上に一致する配信地域を検索し、配信地域に存在する表示装置に、コンテンツの条件配信を行うことが好ましい。
【００２３】
又、配信条件において、コンテンツを配信する地域が指定されていない場合、コンテンツの条件配信を行うステップは、配信条件が環境情報及び受信対象情報のいずれか一つ以上に一致する配信地域を検索し、検索された配信地域に存在する表示装置に、コンテンツの条件配信を行うことが好ましい。
【００２４】
又、配信条件は、更にコンテンツの配信回数をコンテンツと関連づけて取得し、コンテンツの条件配信を行うステップは、配信条件が一致した場合、配信回数のうちの条件配信回数分、コンテンツの条件配信を行い、通常情報配信手段によって、配信回数のうちの通常配信回数分、配信条件に関係なく定常的にコンテンツの通常配信を行うステップを更に備えることが好ましい。
【００２５】
又、配信条件は、更にコンテンツを配信する期間をコンテンツと関連づけて取得し、条件配信調整手段によって、条件配信回数と、通常配信回数の実績を記憶した配信実績記憶装置を参照して、コンテンツを配信する期間のうち経過した日時を考慮して、配信条件回数と、通常配信回数とを調整するステップを更に備えることが好ましい。
【００２６】
又、配信条件回数と、通常配信回数とを調整するステップは、条件配信回数がコンテンツを配信する期間のうち経過した日時に比べて少ない場合、通常情報配信手段による配信の頻度を高くし、条件配信回数がコンテンツを配信する期間のうち経過した日時に比べて多い場合、通常配信による配信の頻度を低くすることが好ましい。
【００２７】
又、配信条件において、更に高い頻度で条件配信を行う高頻度配信条件をコンテンツと関連づけて取得し、コンテンツの条件配信を行うステップは、高頻度配信条件が、環境情報及び受信対象情報のいずれか一つ以上に一致する地域に存在する表示装置に、より高い頻度でコンテンツを配信することが好ましい。
【発明の効果】
【００２８】
従って本発明によれば、地域に存在する表示装置に提示するコンテンツを配信するコンテンツ配信装置及びコンテンツ配信方法を提供することができる。
【発明を実施するための最良の形態】
【００２９】
次に、図面を参照して、本発明の実施の形態を説明する。以下の図面の記載において、同一又は類似の部分には同一又は類似の符号を付している。本発明の実施の形態におけるコンテンツ配信装置１は、路線や駅区間を指定した電車の中に設けられたディスプレイにコンテンツを配信する。
【００３０】
（第１の実施の形態）
図１を参照して、本発明の第１の実施の形態に係るコンテンツ配信装置１と、コンテンツ配信装置１を利用したコンテンツ配信システム２について説明する。コンテンツ配信装置１は、中央処理制御装置、メモリなどを備える一般的なコンピュータに所定の処理を実行するソフトウェアプログラムをインストールすることによって実現される。
【００３１】
本発明の第１の実施の形態に係るコンテンツ配信システム２は、地域に複数存在する表示装置（図示せず）にコンテンツを配信するコンテンツ配信装置１、イベントの名称、期間、開催場所、対象者情報などのイベント情報を提供するイベント情報提供サーバ４、地域ごとの天気、気温、水温などの温度、季節、湿度などの気象情報を提供する気象情報提供サーバ５、駅で利用された定期券に関するユーザの年齢、性別などの定期券利用情報を提供する定期券利用情報提供サーバ６と、地域の世代、性別ごとの人数などの地域情報を提供する地域情報提供サーバ７と、コンテンツ配信装置１が配信するコンテンツと、コンテンツの配信条件を提供する広告代理店端末８を備えており、
これらのサーバ及び端末は、通信ネットワーク３によって互いに通信可能である。通信ネットワーク３は、インターネット、パソコン通信ネットワーク等のことである。通信ネットワーク３に接続する場合、それぞれのサーバ及び端末は、モデム、ルータ、インターネットサービスプロバイダのサーバなどを介して接続される。
【００３２】
図２に示すように、本発明の第１の実施の形態に係るコンテンツ配信装置１は、天気、温度、季節、湿度のいずれか一つ以上の環境情報及び受信対象者の年齢、年代、性別、人数のいずれか一つ以上の受信対象情報のいずれか一つ以上が一致した場合にコンテンツの配信を行う。即ち、以下の３つのパターンを備える。
【００３３】
（１）Ａパターン…環境情報及び受信対象情報が共に配信条件一致した場合のみ、コンテンツを配信する
（２）Ｂパターン…環境情報のみが配信条件一致した場合のみ、コンテンツを配信する
（３）Ｃパターン…受信対象情報のみが配信条件一致した場合のみ、コンテンツを配信する
再び図１に示すように、本発明の第１の実施の形態に係るコンテンツ配信装置１は、環境情報記憶装置１１、受信対象情報記憶装置１２、配信条件記憶装置１３、配信実績記憶装置１４、配信コンテンツ記憶装置１５、環境情報取得手段２１、受信対象情報取得手段２２、配信条件取得手段２３、条件配信手段（特定情報配信手段）２４、配信コンテンツ取得手段２５、通信制御装置３１、入力装置３２、表示装置３３、入出力制御装置３４を備えている。
【００３４】
環境情報取得手段２１は、イベント情報提供サーバ４、気象情報提供サーバ５から、地域の天気、温度、季節、湿度のいずれか一つ以上の環境情報を取得し、環境情報記憶装置１１に記憶する手段である。
【００３５】
図３（ａ）は、環境情報のうち、イベント情報提供サーバ４から取得したイベント情報を記憶した環境情報記憶装置１１ａである。環境情報記憶装置１１ａは、イベント名称、関係業種、イベントの開催期間、イベントの開催時間、最寄り駅、対象入場者の性別、年代を記憶している。年代は、いくつかの世代に分けて登録しても良いし、「２５歳〜５４歳」などという記載でも良い。
【００３６】
図３（ｂ）は、環境情報のうち、気象情報提供サーバ５から取得した気象情報を記憶した環境情報記憶装置１１ｂである。環境情報記憶装置１１ｂは、例えば、地域ごとの気温や天候が記憶されている。ここでは、市町村と駅と階層化して記載しているが、駅に限らず、市の地域でも、都道府県単位でも構わない。
【００３７】
受信対象情報取得手段２２は、定期券利用情報提供サーバ６、地域情報提供サーバ７から、地域に位置する受信対象者の年齢、年代、性別、人数のいずれか一つ以上の受信対象情報を取得し、受信対象情報記憶装置１２に記憶する手段である。
【００３８】
図４は、受信対象情報のうち、定期券利用情報提供サーバ６から取得した定期券利用情報を記憶した受信対象情報記憶装置１２ａである。受信対象情報記憶装置１２ａは、定期券で乗降者した人の性別、年代を駅ごとに取得されたデータが記憶されており、乗車した人の性別、年代ごとの人数、降車した人の性別、年代ごとの人数、乗車人数と降車人数から把握できる乗降者累積の性別、年代ごとの人数が、市町村、更に駅ごとに記憶されている。図４に示した受信対象情報記憶装置１２ａによると、以下のことが把握できる。
【００３９】
（１）Ａ駅乃至Ｆ駅において、男性の３４歳〜２５歳が多い
（２）Ａ駅、Ｂ駅、Ｄ駅乃至Ｆ駅において、女性の４４歳〜３５歳が多い
（３）Ｄ駅乃至Ｆ駅において、女性３４歳〜２５歳が多い
図５は、受信対象情報のうち、地域情報提供サーバ７から取得した地域情報を記憶した受信対象情報記憶装置１２ｂである。受信対象情報記憶装置１２ｂは、市町村（或いは都道府県などの行政区域）ごとの居住している人の性別、年代、人数が記憶されている。更に、その市町村内に位置する駅が関連づけられているのが好ましい。図５に示した受信対象情報記憶装置１２ｂによると、以下のことが把握できる。ここで親族世帯とは、二人以上の世帯員からなる世帯のうち、世帯主と親族関係にある世帯員のいる世帯のことである。非親族世帯とは、二人以上の世帯員からなる世帯のうち、世帯主と親族関係にある者がいない世帯である。単独世帯とは、世帯人員が一人の世帯である。  
（１）Ａ市、Ｂ市ともに、男性の３４歳〜２５歳が多い。  
（２）Ａ市において、女性の６５歳以上、３４歳〜２５歳が多い。  
（３）Ｂ市において、女性の２４歳〜１５歳が多い。  
（４）Ａ市、Ｂ市ともに、親族世帯が多い。
【００４０】
配信条件取得手段２３は、コンテンツの配信条件となる環境情報及び受信対象情報のいずれか一つ以上を、コンテンツと関連づけて取得し、配信条件記憶装置１３に記憶する手段である。
【００４１】
図６（ａ）は、広告代理店端末８から登録されたコンテンツごとに配信条件を割り当てた配信条件記憶装置１３ａのデータ構造とデータの一例である。ここでは、コンテンツ名称、１回あたりの表示時間、契約で定められた１週間あたりの表示回数、コンテンツを配信する期間、表示区間が記憶されている。コンテンツを配信する期間は、例えばコンテンツ「Ａ」のように、「イベント開催期間」と指定しても良い。表示区間については、路線や駅区間が指定されている場合、指定された路線や駅区間に限ってコンテンツの配信を行う。一方、「自動」と設定されている場合、その他の条件から、環境情報記憶装置１１及び受信対象情報記憶装置１２を検索して、条件に適合する路線や駅区間を検索し、コンテンツを配信することになる。
【００４２】
図６（ｂ）は、コンテンツごとに配信条件となる環境情報や受信対象情報を割り当てた配信条件記憶装置１３ｂのデータ構造とデータの一例である。タイプの項目においては、配信条件となる種別、即ち、「イベント」、「気象」、「定期券」、「地域」などの種別が割り当てられている。
【００４３】
（１）「イベント」の場合、イベント情報が記憶された環境情報記憶装置１１ａを参照して、配信条件記憶装置１３ｂで指定された「ＩＴ  ＦＡＩＲ２００３」などのイベントの開催期間、時間、最寄り駅等に併せてコンテンツを配信する。  
（２）「気象」の場合、気象情報が記憶された環境情報記憶装置１１ｂを参照して、その気象情報を検索し、配信条件記憶装置１３ｂで指定された気温、天候などが適合する地域や駅を検索し、その駅を通過する電車のディスプレイにコンテンツを配信する。  
（３）「定期券」の場合、定期券利用情報が記憶された受信対象情報記憶装置１２ａを参照して、配信条件記憶装置１３ｂで指定された時間、性別、年代が多い路線、駅区間を検索し、その駅を通過する電車のディスプレイにコンテンツを配信する。  
（４）「地域」の場合、地域情報が記憶された受信対象情報記憶装置１２ｂを参照して、配信条件記憶装置１３ｂで指定された性別、年代が多い市町村を検索し、そこから路線や駅区間を割り当て、その駅を通過する電車のディスプレイにコンテンツを配信する。
【００４４】
ここで、表示区間で路線や駅区間が指定されている場合、指定された路線や駅区間の中から条件に適合する路線や駅区間を更に検索して、検索された路線や駅区間にコンテンツを配信する。又、表示区間で路線や駅区間が指定されていない場合、配信条件記憶装置１３ｂに記憶された条件に適合する路線や駅区間を検索し、検索された路線や駅区間にコンテンツを配信する。
【００４５】
条件配信手段２４は、配信条件取得手段２３で取得した前記配信条件が、環境情報及び受信対象情報のいずれか一つ以上に一致する路線、駅区間（地域）に存在する表示装置に、コンテンツを配信する手段である。条件配信手段２４は、コンテンツを配信するとその実績を、配信実績記憶装置１４に記憶する。配信実績記憶装置１４は、配信条件記憶装置１３ａに記憶した契約で定められた１週間あたりの表示回数と比較される。
【００４６】
配信条件取得手段２３において、コンテンツを配信する地域が指定されている場合、条件配信手段２４は、配信条件取得手段２３において指定されているコンテンツを配信する地域から、配信条件取得手段２３で取得した配信条件が、環境情報及び受信対象情報のいずれか一つ以上に一致する配信地域を検索し、配信地域に存在する表示装置に、前記コンテンツを配信する。一方、配信条件取得手段２３において、コンテンツを配信する地域が指定されていない場合、条件配信手段２４は、配信条件取得手段２３で取得した配信条件が、環境情報及び受信対象情報のいずれか一つ以上に一致する配信地域を検索し、検索された配信地域に存在する前記表示装置に、コンテンツを配信する。
【００４７】
配信コンテンツ取得手段２５は、広告代理店端末８から登録されたコンテンツを配信コンテンツ記憶装置１５に記憶する手段である。コンテンツを配信する場合、この配信コンテンツ記憶装置１５から配信するコンテンツを取得する。
【００４８】
ここでは、広告代理店端末８から配信条件記憶装置１３及び配信コンテンツ記憶装置１５に配信条件及び配信コンテンツを記憶するように記載したが、コンテンツ配信装置１に記憶されれば、必ず広告代理店端末８から記憶する必要はない。
【００４９】
次に、図７を参照して、本発明の第１の実施の形態に係るコンテンツ配信装置１によるコンテンツ配信方法を説明する。
【００５０】
まず、ステップＳ１０１において、配信コンテンツ取得手段２５により配信するコンテンツを取得して配信コンテンツ記憶装置１５に記憶し、配信条件取得手段２３により配信条件を取得して配信条件記憶装置１３に記憶する。
【００５１】
その一方で、ステップＳ１０２において、環境情報取得手段２１によりイベント情報や気象情報などの環境情報を取得し、環境情報記憶装置１１に記憶し、受信対象情報取得手段２２によって定期券利用情報や地域情報などの受信対象情報を取得し、受信対象情報記憶装置１２に記憶する。ここで、気象情報や定期券利用情報などリアルタイムで変動する情報は随時取得し、イベント情報や地域情報など変動が少ない情報は変更した場合にのみ取得しても良い。
【００５２】
次に、ステップＳ１０３において、コンテンツについて表示区間の指定があるか否かを検索し、表示区間の指定がない場合、ステップＳ１０４において、環境情報記憶装置１１と受信対象情報記憶装置１２を参照して、環境情報と受信対象情報の一致する路線、駅区間を検索する。一方、ステップＳ１０３において表示区間の指定がある場合、指定された表示区間の中で、環境情報、受信対象情報が一致する路線、駅区間を検索する。
【００５３】
ステップＳ１０４及びＳ１０５において路線、駅区間が検索されると、ステップＳ１０６において、検索された路線、駅区間にコンテンツを配信し、ステップＳ１０７において、その配信実績を配信実績記憶装置１４に記憶する。
【００５４】
本発明の第１の実施の形態によるコンテンツ配信装置１によれば、コンテンツを配信するイベント情報、気象情報、定期券利用情報、地域情報などの条件を予め定め、条件が一致した路線、駅区間にコンテンツを配信することができる。これにより、コンテンツを配信する場合、従来より効果を得ることができる。
【００５５】
又、本発明の第１の実施の形態においては、単に、「イベント」、「気象」、「定期券」、「地域」などのタイプをコンテンツごとに一つ割り当てて、コンテンツの配信条件を決定したが、一つのコンテンツに対して複数のタイプを関連づけ、それらのタイプの条件がＡＮＤ（論理積）或いはＯＲ（論理和）で適合する路線、駅区間を検索してコンテンツを配信しても良い。
【００５６】
又、図６（ｂ）に示した配信条件記憶装置１３ｂのコンテンツ名称「Ｈ」の様に、「女性」で「２４歳〜１５歳」と指定されている場合、イベント情報が記憶された環境情報記憶装置１１ａを参照して、「女性」で「２４歳〜１５歳」の人が多く集まることが予想されるイベントの最寄り駅などをターゲットにコンテンツを配信しても良い。
【００５７】
（第２の実施の形態）
第１の実施の形態においては、条件が適合する場合のみコンテンツを配信する実施の形態について説明したが、第２の実施の形態においては、通常時も配信しており、条件が適合する場合に配信頻度を高くする実施の形態について説明する。
【００５８】
例えば、ユーザに直接メールを送る場合、条件に適合したユーザを契約された人数分検索し、そのユーザにメールを送信すれば良いので、契約でコンテンツの配信回数を容易に満たすことができる。しかし、第１の実施の形態に係るコンテンツ配信装置によれば、環境条件や受信対象情報によってコンテンツを配信する路線、駅区間を検索するため、予め定められた配信回数を満たすことができない場合がある。そこで、第２の実施の形態においては、通常時に配信する通常配信と、条件に適合した場合に配信する条件配信を組合せ、契約期間が進むにつれ、条件配信の配信回数が少ない場合、適宜通常配信に配信頻度を上げることにより、契約で定められた配信回数を満たすものである。
【００５９】
図８を参照して、本発明の第２の実施の形態に係るコンテンツ配信装置１の機能ブロックを説明する。図８に示した本発明の第２の実施の形態に係るコンテンツ配信装置１は、図１に示した本発明の第１の実施の形態に係るコンテンツ配信装置１に比べて、配信予定記憶装置１６、通常配信手段（通常情報配信手段）２６、条件配信調整手段２７を備えており、更に、条件配信手段が、配信予定記憶装置１６を参照している点が異なる。
【００６０】
更に、配信条件記憶装置１３においては、配信条件が一致した場合に配信する条件配信回数と、通常時に配信する通常配信回数とが記憶されている。
【００６１】
又、配信実績記憶装置１４には、条件配信手段２４で配信された条件配信回数と、通常配信手段２６で配信された通常配信回数がそれぞれ記憶されている。
【００６２】
配信予定記憶装置１６は、通常配信での配信回数と、条件配信での配信回数とを満足するために、コンテンツを配信する予定が記載されている。例えば１時間１車両ごとに３回の通常配信を、条件が適合した場合、１時間１車両ごとに５回の条件配信をそれぞれ行う様に、コンテンツを配信する予定が記載されている。更に、コンテンツを配信する期間に応じて、満たすべきコンテンツの配信回数の予定が記憶されていても良い。
【００６３】
通常配信手段２６は、全ての配信回数のうちの通常配信回数分、配信条件に関係なくコンテンツを定常的に配信する手段である。
【００６４】
条件配信調整手段２７は、配信条件記憶手段に記憶されたコンテンツを配信する期間のうち経過した日時を考慮し、配信実績記憶装置１４を参照して、配信条件回数と、通常配信回数とを調整する手段である。
【００６５】
条件配信調整手段２７は、条件配信回数がコンテンツを配信する期間のうち経過した日時に比べて少ない場合、通常配信手段２６による配信の頻度を高くし、条件配信回数がコンテンツを配信する期間のうち経過した日時に比べて多い場合、通常配信手段２６による配信の頻度を低くする。即ち、条件配信手段２４によって配信されたコンテンツの数が、配信予定記憶装置１６に記憶された条件配信の回数を満足していない場合、通常配信手段２６によるコンテンツの配信を増やす様に調整し、配信予定記憶装置１６を更新する。逆に、条件配信手段２４によって配信されたコンテンツの数が、配信予定記憶装置１６に記憶された条件配信の回数を満足しすぎている場合、通常配信手段２６によるコンテンツの配信を減らす様に調整し、配信予定記憶装置１６を更新する。
【００６６】
図９を参照して、本発明の第２の実施の形態に係るコンテンツ配信装置１の条件配信調整手段２７について説明する。
【００６７】
図面の上段から下段にかけては、契約期間のうちの時間の経過を示す。契約期間の始めを示す配信総数Ｔ１は、登録（契約）回数ｎ回のうち、条件配信に合致した場合に配信する（ｎ１）回の条件配信Ｄ１と、配信期間の間、表示回数で均等配信する（ｎ−ｎ１）回の通常配信Ｄ２を備えている。
【００６８】
ここでは、時間の経過とともに、条件配信回数が予定より少なかった場合を想定して説明する。
【００６９】
契約期間の途中を示す配信総数Ｔ２は、条件配信で配信する条件配信Ｄ３と、通常配信Ｄ５と、予定より少なかった条件配信回数の穴埋めするため、条件配信回数のうちの一部を通常配信に組み入れたＤ４を備えている。ここで、条件配信Ｄ３と通常配信Ｄ５は最終的なそれぞれの配信回数の予定で、条件配信Ｄ３の中には、既に条件配信された回数と、これから条件配信する予定の回数とが含まれる。
【００７０】
更に、契約期間の終了を示す配信総数Ｔ３においては、時間の経過とともに、条件配信回数が予定より少なかったので、通常配信に組み入れたＤ７が増えている。又、残存配信期間が２４時間になった場合、通常配信に組み入れたＤ７と、通常配信のＤ８で配信する通常配信の頻度は、広告効果を低下させない回数を限度とするのが好ましい。
【００７１】
図１０を参照して、本発明の第２の実施の形態に係るコンテンツ配信装置１のコンテンツ配信における配信条件を調整する方法を説明する。
【００７２】
まず、ステップＳ２０１において、配信予定記憶装置１６を参照して、通常配信と条件配信それぞれの配信予定数を取得し、ステップＳ２０２において、配信実績記憶装置１４を参照して通常配信と条件配信それぞれの配信実績数を取得する。
【００７３】
次に、ステップＳ２０３において、契約期間のうちの経過期間を考慮して、予定している規定数をクリアしているか否かを判定する。規定数をクリアしている場合、そのまま処理を終了する。
【００７４】
一方、規定数をクリアしていない場合、ステップＳ２０４において、一定の条件配信数を通常配信数に変更し組み入れし、ステップＳ２０５において、配信予定記憶装置１６を更新する。
【００７５】
本発明の第２の実施の形態において更に、配信条件記憶装置１３において、更に高い頻度で前記条件配信を行う高頻度配信条件を前記コンテンツと関連づけて記憶しており、条件配信手段２４は、高頻度配信条件が、環境情報及び前記受信対象情報のいずれか一つ以上に一致する路線、駅区間（地域）に存在する表示装置に、より高い頻度で前記コンテンツを配信しても良い。
【００７６】
即ち、図１１に示すように、配信総数は、条件配信Ｄ９、高頻度条件配信Ｄ１０、通常配信に組み入れたＤ１１、通常配信Ｄ１２を備えている。通常は１時間に３回コンテンツを流すところ、高頻度条件配信において高頻度配信条件に合致した場合、１時間に５回コンテンツを流すようにしても良い。この様に、配信密度を変化させることにより、条件配信による広告効果を向上することができる。
【００７７】
本発明の第２の実施の形態によれば、通常時に配信する通常配信と、条件に適合した場合に配信する条件配信を組合せることにより、契約に含まれるコンテンツの配信回数を満足し、更に、条件配信を組み入れて、効果的にコンテンツを配信することができる。
【００７８】
従って、例えば、「晴れの２５度以上」に配信する条件のコンテンツがあった場合、その契約期間において「晴れの２５度以上」の時が少なかったとしても、通常配信の回数を増やすことにより、環境条件や受信対象情報によらず、契約に含まれるコンテンツを配信する回数を満足することができる。
【００７９】
上記のように、本発明の第１及び第２の実施の形態によって記載したが、この開示の一部をなす論述及び図面はこの発明を限定するものであると理解すべきではない。この開示から当業者には様々な代替実施の形態、実施例及び運用技術が明らかとなる。
【００８０】
本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００８１】
【図１】本発明の第１の実施の形態に係るコンテンツ配信装置の機能ブロック図である。
【図２】本発明の第１の実施の形態に係るコンテンツの配信において、配信条件のパターンを示す図である。
【図３】本発明の第１の実施の形態に係る環境情報記憶装置のデータ構造とデータの一例を示す図で、図３（ａ）はイベント情報の一例で、図３（ｂ）は気象情報の一例である。
【図４】本発明の第１の実施の形態に係る受信対象情報記憶装置のデータ構造とデータの一例を示す図で、特に定期券利用情報の一例である。
【図５】本発明の第１の実施の形態に係る受信対象情報記憶装置のデータ構造とデータの一例を示す図で、特に地域情報の一例である。
【図６】本発明の第１の実施の形態に係る配信条件記憶装置のデータ構造とデータの一例を示す図で、図６（ａ）はコンテンツごとに配信条件を割り当てた図で、図６（ｂ）はコンテンツごとに環境情報と受信対象情報を割り当てた図である。
【図７】本発明の第１の実施の形態に係るコンテンツ配信方法を示すフローチャートである。
【図８】本発明の第２の実施の形態に係るコンテンツ配信装置の機能ブロック図である。
【図９】本発明の第２の実施の形態に係るコンテンツ配信装置の条件配信調整手段によって、契約期間の時間経過とともに、条件配信と通常配信を調整する一例を示す図である。
【図１０】本発明の第２の実施の形態に係るコンテンツ配信装置の条件配信調整手段の処理を示すフローチャートである。
【図１１】本発明の第２の実施の形態に係るコンテンツ配信装置において、高頻度配信条件での配信を更に備えた配信総数を示す図である。
【符号の説明】
【００８２】
１…コンテンツ配信装置
２…コンテンツ配信システム
３…通信ネットワーク
４…イベント情報提供サーバ
５…気象情報提供サーバ
６…定期券利用情報提供サーバ
７…地域情報提供サーバ
８…広告代理店端末
１１、１１ａ、１１ｂ…環境情報記憶装置
１２、１２ａ、１２ｂ…受信対象情報記憶装置
１３、１３ａ、１３ｂ…配信条件記憶装置
１４…配信実績記憶装置
１５…配信コンテンツ記憶装置
１６…配信予定記憶装置
２１…環境情報取得手段
２２…受信対象情報取得手段
２３…配信条件取得手段
２４…条件配信手段
２５…配信コンテンツ取得手段
２６…通常配信手段
２７…条件配信調整手段
３１…通信制御装置
３２…入力装置
３３…表示装置
３４…入出力制御装置
【図１】
2005078372.tif 000003
【図２】
2005078372.tif 000004
【図３】
2005078372.tif 000005
【図４】
2005078372.tif 000006
【図５】
2005078372.tif 000007
【図６】
2005078372.tif 000008
【図７】
2005078372.tif 000009
【図８】
2005078372.tif 000010
【図９】
2005078372.tif 000011
【図１０】
2005078372.tif 000012
【図１１】
2005078372.tif 000013